【手続補正書】
【提出日】平成26年10月28日(2014.10.28)
【手続補正１】
【補正対象書類名】特許請求の範囲
【補正対象項目名】請求項１
【補正方法】変更
【補正の内容】
【請求項１】
袋口(12)を上流側へ向けて開くように開口する袋延出部(16)を備えた袋詰品(10)を横向き姿勢でコンベヤ(24)に載置して前記袋延出部(16)をシールするシール位置へ向けて搬送する過程で、袋詰品(10)の搬送路上方における下流から上流側へ向けたエアの噴出により生じた負圧によって袋詰品(10)の袋延出部(16)上面を持ち上げるように吸引して袋口(12)を開口し、
その開口した袋口(12)の開口状態を維持して袋詰品(10)を搬送しつつ、一対の拡開爪(30,30)を前記搬送路外から搬送路内に移動するように互いに接近させて、袋詰品(10)の搬送速度より速い速度で両拡開爪(30,30)を袋口(12)より後方から前進移動して、両拡開爪(30,30)を袋口(12)から内方に挿入し、
両拡開爪(30,30)を互いに離間しつつ下流側に袋詰品(10)と同速で前進移動することで袋口(12)を内側から押し広げて平たく保持した状態として、袋詰品(10)を前記シール位置まで搬送し、
前記シール位置からの前記袋詰品(10)の前進移動を休止した状態で前記袋延出部(16)をシールするようにした
ことを特徴とする袋詰品シール方法。
【手続補正２】
【補正対象書類名】特許請求の範囲
【補正対象項目名】請求項４
【補正方法】変更
【補正の内容】
【請求項４】
袋口(12)が上流側へ向けて開いた横向き姿勢の袋詰品(10)を袋詰機から受け入れて、シール手段(18)によるシール位置まで搬送する第１コンベヤ(24)と、
前記袋詰品(10)の後方へ延出する袋延出部(16)を幅方向にシールするシール手段(18)と、
前記シール位置の下流に接続した第２コンベヤ(26)と、
第１コンベヤ(24)の上方に配設された案内部材(40)の下面に沿って下流から上流へ向けてエアを噴出するエア噴出ノズル(42)を備え、エア噴出ノズル(42)から噴出したエアにより生じた負圧により前記袋延出部(16)上面を持ち上げて袋口(12)を開口すると共に案内部材(40)の下面に吸引して袋口(12)の開口状態を維持する吸着手段(28)と、
近接離間移動可能で、かつ袋詰品(10)の搬送方向前後に移動可能に配設された一対の拡開爪(30,30)と、
両拡開爪(30,30)を前記袋詰品(10)の搬送速度より早い速度で前進移動して袋口(12)から内方へ挿入すると共に、袋口(12)に挿入した両拡開爪(30,30)を袋詰品(10)の搬送速度と同速で前進移動するように作動する移動手段(48)と、
両拡開爪(30,30)を第１コンベヤ(24)の搬送路外から搬送路内に移動するように互いに接近させると共に、袋口(12)に挿入した両拡開爪(30,30)を互いに離間させて袋口(12)を内側から押し広げて平たくした状態で保持するように作動する拡開手段(50)と、
両シール体(20,22)で前記袋延出部(16)を挟持するのに先立ち、該袋延出部(16)のシール位置近傍を上下から挟持する一対の袋口押さえ部材(32,34)とを備え、
前記袋延出部(16)を含む袋詰品(10)の上面を前記吸着手段(28)により吸引して袋口(12)の開口状態を維持しつつ搬送すると共に両拡開爪(30,30)を袋口(12)から内方へ挿入し、袋詰品(10)が移載された前記第２コンベヤ(26)の走行休止に合わせて両シール体(20,22)により前記袋延出部(16)を上下から挟持してシールする構成とした
ことを特徴とする袋詰品シール装置。
【手続補正３】
【補正対象書類名】明細書
【補正対象項目名】０００６
【補正方法】変更
【補正の内容】
【０００６】
前記課題を克服し、所期の目的を達成するため、本願の請求項１に係る発明の袋詰品シール方法は、
袋口を上流側へ向けて開くように開口する袋延出部を備えた袋詰品を横向き姿勢でコンベヤに載置して前記袋延出部をシールするシール位置へ向けて搬送する過程で、袋詰品の搬送路上方における下流から上流側へ向けたエアの噴出により生じた負圧によって袋詰品の袋延出部上面を持ち上げるように吸引して袋口を開口し、
その開口した袋口の開口状態を維持して袋詰品を搬送しつつ、一対の拡開爪を前記搬送路外から搬送路内に移動するように互いに接近させて、袋詰品の搬送速度より速い速度で両拡開爪を袋口より後方から前進移動して、両拡開爪を袋口から内方に挿入し、
両拡開爪を互いに離間しつつ下流側に袋詰品と同速で前進移動することで袋口を内側から押し広げて平たく保持した状態として、袋詰品を前記シール位置まで搬送し、
前記シール位置からの前記袋詰品の前進移動を休止した状態で前記袋延出部をシールするようにしたことを特徴とする。
【手続補正４】
【補正対象書類名】明細書
【補正対象項目名】０００９
【補正方法】変更
【補正の内容】
【０００９】
前記課題を克服し、所期の目的を達成するため、本願の請求項４に係る発明の袋詰品シール装置は、
袋口が上流側へ向けて開いた横向き姿勢の袋詰品を袋詰機から受け入れて、シール手段によるシール位置まで搬送する第１コンベヤと、
前記袋詰品の後方へ延出する袋延出部を幅方向にシールするシール手段と、
前記シール位置の下流に接続した第２コンベヤと、
第１コンベヤの上方に配設された案内部材の下面に沿って下流から上流へ向けてエアを噴出するエア噴出ノズルを備え、エア噴出ノズルから噴出したエアにより生じた負圧により前記袋延出部上面を持ち上げて袋口を開口すると共に案内部材の下面に吸引して袋口の開口状態を維持する吸着手段と、
近接離間移動可能で、かつ袋詰品の搬送方向前後に移動可能に配設された一対の拡開爪と、
両拡開爪を前記袋詰品の搬送速度より早い速度で前進移動して袋口から内方へ挿入すると共に、袋口に挿入した両拡開爪を袋詰品の搬送速度と同速で前進移動するように作動する移動手段と、
両拡開爪を第１コンベヤの搬送路外から搬送路内に移動するように互いに接近させると共に、袋口に挿入した両拡開爪を互いに離間させて袋口を内側から押し広げて平たくした状態で保持するように作動する拡開手段と、
両シール体で前記袋延出部を挟持するのに先立ち、該袋延出部のシール位置近傍を上下から挟持する一対の袋口押さえ部材とを備え、
前記袋延出部を含む袋詰品の上面を前記吸着手段により吸引して袋口の開口状態を維持しつつ搬送すると共に両拡開爪を袋口から内方へ挿入し、袋詰品が移載された前記第２コンベヤの走行休止に合わせて両シール体により前記袋延出部を上下から挟持してシールする構成としたことを特徴とする。
請求項１および４に係る発明によれば、袋口を上流側へ向けた横向き姿勢で搬送される袋詰品をシールする際に、シワの発生を防止して良好にシールを行い得る。
【手続補正５】
【補正対象書類名】明細書
【補正対象項目名】００１２
【補正方法】変更
【補正の内容】
【００１２】
請求項７に係る発明では、前記シール体での前記袋詰品の挟持前に、前記袋詰品を押さえて袋内の空気を排出する脱気手段を備えたことを特徴とする。 
請求項７に係る発明によれば、脱気手段によって袋詰品を押さえることで、袋内の空気を押し出すことができ、シールする際に袋延出部に空気が溜まって膨らむことを抑えて、袋延出部を平らにして良好なシールを行うことができる。
【手続補正６】
【補正対象書類名】明細書
【補正対象項目名】００２０
【補正方法】変更
【補正の内容】
【００２０】
図１に示すように、前記吸着手段２８は、導入コンベヤ２４の搬送路の上方に配設された板状の案内部材４０と、図示しないエア供給源に接続されて、案内部材４０のフラットに形成された下面に沿って下流側から上流側へ向けてエアを噴出可能なエア噴出ノズル４２とを備えている。案内部材４０の下面は、袋詰品１０の左右幅に対応して、該袋詰品１０の上面を案内し得る所定範囲の左右幅で形成され、搬送方向と直交する幅方向に離間する２基のエア噴出ノズル４２,４２が、案内部材４０の下流端に近接して配置されている。また、各エア噴出ノズル４２は、案内部材４０に対するエアの噴出向きを調節可能に配設されている。吸着手段２８は、エア噴出ノズル４２から圧縮エアを噴出することで案内部材４０の下面に生じる負圧によって該案内部材４０の下側を通過する袋詰品１０の袋延出部１６上面を持ち上げるように吸引して、大きく開口した袋口１２の開口状態を維持するように袋延出部１６を案内部材４０に沿って吸引保持する。また、吸着手段２８は、案内部材４０とエア噴出ノズル４２からなる吸引部の下流側に、吸着搬送部としてのアッパーコンベヤ４４を備えている。アッパーコンベヤ４４は、導入コンベヤ２４の搬送路の上方に、案内部材４０の下流側に近接して配設され、上下のシール体２０,２２の直上流位置まで延在する。吸着ベルト４４ａは、導入コンベヤ２４による袋詰品１０の搬送速度と同速で循環走行し、前記吸引部から受け渡される袋延出部１６を含む袋詰品１０の上面を吸着保持して、少なくとも前記一対の拡開爪３０,３０によって袋延出部１６が拡開保持されるまで袋延出部１６上面を吸着保持し得るよう構成されている。なお、導入コンベヤ２４における搬送路の左右両側には、該搬送路を通過する袋詰品１０の側面を案内する一対のサイドガイド４６,４６が配設されている。
【手続補正７】
【補正対象書類名】明細書
【補正対象項目名】００３４
【補正方法】変更
【補正の内容】
【００３４】
１０ 袋詰品，１２ 袋口，１４ 袋胴部，１６ 袋延出部，
２０ 上部シール体(シール体)，２２ 下部シール体(シール体)，
２４ 導入コンベヤ(第１コンベヤ)，２６ 搬出コンベヤ(第２コンベヤ)，
２８ 吸着手段，３０ 拡開爪，３２ 上押さえ部材(袋口押さえ部材)，
３４ 下押さえ部材(袋口押さえ部材)，３６ 可動ガイド，３８ 押圧部材(脱気手段)，
４０ 案内部材，４２ エア噴出ノズル，４８ 移動手段，５０ 拡開手段，
Ｇ 食パン(物品)